【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
鋼管の一端にこの鋼管の外周面よりも外周側に一部分が突出した刃体を有する先端掘削刃が、取外しまたは前記鋼管の外周面よりも内周側に収納が可能に取り付けられた掘削刃取付け鋼管を準備する過程と、
前記掘削刃取付け鋼管を、前記先端掘削刃が下側となるように支持しかつ前記鋼管の外周面から前記一部分を突出させた状態で前記鋼管の中心軸回りに一定方向に回転させつつ押し下げることによって、前記先端掘削刃により下方に掘削しかつ前記鋼管の外周の土に螺旋状の溝を形成しながら地盤に挿入する過程と、
前記鋼管内にモルタルまたは生コンクリートまたはセメントミルクを充填する過程と、  前記鋼管を引き上げて前記鋼管から前記先端掘削刃を分離させ、または前記鋼管を逆回転させて前記先端掘削刃を前記鋼管の外周面よりも内周側に収納し、前記鋼管を地盤から引き抜くことによって、前記鋼管の抜き跡となる杭孔および前記螺旋状の溝に前記鋼管内のモルタルまたは生コンクリートまたはセメントミルクを流し込む過程と、
を含む節付き現場打ちコンクリート系杭の築造方法。
【請求項２】
請求項１に記載の節付き現場打ちコンクリート系杭の築造方法において、前記杭孔および螺旋状の溝に前記鋼管内のモルタルまたは生コンクリートまたはセメントミルクを流し込む過程中に、前記鋼管に振動を与えて前記モルタルまたは生コンクリートまたはセメントミルクを締め固める節付き現場打ちコンクリート系杭の築造方法。
【請求項３】
鋼管と、この鋼管の一端に取付部によって取り付けられて前記鋼管の外周面よりも外周側に一部分が突出した刃体を有する先端掘削刃とでなり、この先端掘削刃は、前記鋼管の地盤への挿入時に前記鋼管と共に回転することで地盤に螺旋状の溝を形成し、前記鋼管を地盤から引き上げることで前記先端掘削刃に作用する地盤の抵抗によって前記取付部で前記鋼管から外れる節付き現場打ちコンクリート系杭築造用の掘削刃取付け鋼管。
【請求項４】
鋼管と、この鋼管の一端に取り付けられて前記鋼管の外周面よりも外周側に一部分が突出した状態と全体が前記鋼管の外周面よりも内周側に収納された状態とに姿勢変更可能な突没刃を有する先端掘削刃とを有し、この先端掘削刃は、前記鋼管の周方向に回動自在であって、前記鋼管の外周面よりも外周側に一部分が突出する状態から一方向への回動がストッパにより阻止されるものであり、前記鋼管と共に回転することで地盤に螺旋状の溝を形成する、節付き現場打ちコンクリート系杭築造用の掘削刃取付け鋼管。
【請求項５】
請求項１に記載の築造方法によって製造される節付き現場打ちコンクリート系杭であって、モルタルまたはコンクリートまたはセメントミルクからなる円柱状であり、外周に地盤内に食い込んだ螺旋状の突条を有する節付き現場打ちコンクリート系杭。
【手続補正２】
【補正対象書類名】明細書
【補正対象項目名】０００９
【補正方法】変更
【補正の内容】
【０００９】
この発明の節付き現場打ちコンクリート系杭の築造方法は、鋼管の一端にこの鋼管の外周面よりも外周側に一部分が突出した刃体を有する先端掘削刃が、取外しまたは前記鋼管の外周面よりも内周側に収納が可能に取り付けられた掘削刃取付け鋼管を準備する過程と、
前記掘削刃取付け鋼管を、前記先端掘削刃が下側となるように支持しかつ前記鋼管の外周面から前記一部分を突出させた状態で前記鋼管の中心軸回りに一定方向に回転させつつ押し下げることによって、前記先端掘削刃により下方に掘削しかつ前記鋼管の外周の土に螺旋状の溝を形成しながら地盤に挿入する過程と、
前記鋼管内にモルタルまたは生コンクリートまたはセメントミルクを充填する過程と、  前記鋼管を引き上げて前記鋼管から前記先端掘削刃を分離させ、または前記鋼管を逆回転させて前記先端掘削刃を前記鋼管の外周面よりも内周側に収納し、前記鋼管を地盤から引き抜くことによって、前記鋼管の抜き跡となる杭孔および前記螺旋状の溝に前記鋼管内のモルタルまたは生コンクリートまたはセメントミルクを流し込む過程とを含む。
【手続補正３】
【補正対象書類名】明細書
【補正対象項目名】００１０
【補正方法】変更
【補正の内容】
【００１０】
この節付き現場打ちコンクリート系杭の築造方法は、上記掘削刃取付け鋼管を用いて杭孔を掘削することにより、杭孔の外周に螺旋状の溝が形成される。鋼管に対して先端掘削刃が取外し可能であり、鋼管を引き上げることにより、先端掘削刃は鋼管から分離して杭孔の底部に残される。または、鋼管に対して先端掘削刃が収納可能であり、鋼管を逆回転させることで前記先端掘削刃が前記鋼管の外周面よりも内周側に収納される。そのため、上記螺旋状の溝を壊さずに、鋼管のみを地盤から引き抜くことができる。このように形成された杭孔および螺旋状の溝にモルタルまたは生コンクリートまたはセメントミルクが流し込まれ、そのモルタルまたは生コンクリートまたはセメントミルクが硬化することで、螺旋状の節付きコンクリート系杭が現場打ちで築造される。
【手続補正４】
【補正対象書類名】明細書
【補正対象項目名】００１５
【補正方法】変更
【補正の内容】
【００１５】
この発明の第１の節付き現場打ちコンクリート系杭築造用の掘削刃取付け鋼管は、鋼管と、この鋼管の一端に取付部によって取り付けられて前記鋼管の外周面よりも外周側に一部分が突出した刃体を有する先端掘削刃とでなり、この先端掘削刃は、前記鋼管の地盤への挿入時に前記鋼管と共に回転することで地盤に螺旋状の溝を形成し、前記鋼管を地盤から引き上げることで前記先端掘削刃に作用する地盤の抵抗によって前記取付部で前記鋼管から外れるようになっている。
この構造であると、この発明の前記節付き現場打ちコンクリート系杭の築造方法に使用でき、この築造方法における杭孔および螺旋状の溝に鋼管内のモルタルまたは生コンクリートまたはセメントミルクを流し込む過程で鋼管を引き上げる際に、地盤の抵抗によって鋼管から先端掘削刃が外れるので、鋼管と先端掘削刃とを分離させる機構を別に設ける必要がない。そのため、節付き現場打ちコンクリート系杭築造用の掘削刃取付け鋼管を簡易な構成とすることができる。
【手続補正５】
【補正対象書類名】明細書
【補正対象項目名】００１６
【補正方法】変更
【補正の内容】
【００１６】
この発明の他の節付き現場打ちコンクリート系杭築造用の掘削刃取付け鋼管は、鋼管と、この鋼管の一端に取り付けられて前記鋼管の外周面よりも外周側に一部分が突出した状態と全体が前記鋼管の外周面よりも内周側に収納された状態とに姿勢変更可能な突没刃を有する先端掘削刃とを有し、この先端掘削刃は、前記鋼管の周方向に回動自在であって、前記鋼管の外周面よりも外周側に一部分が突出する状態から一方向への回動がストッパにより阻止されるものであり、前記鋼管と共に回転することで地盤に螺旋状の溝を形成する、この回動が阻止される方向は、鋼管を正回転させるとき、つまり鋼管の地盤への挿入時に回転させるときに、先端掘削刃が地盤の抵抗で回動しないように阻止させる方向とする。
この構造であると、この発明の前記節付き現場打ちコンクリート系杭の築造方法に使用でき、杭孔および螺旋状の溝に鋼管内のモルタルまたは生コンクリートまたはセメントミルクを流し込む前に、鋼管を逆回転させることで、地盤の抵抗によって先端掘削刃が鋼管の外周面よりも内周側に収納される。また、鋼管を正回転させて地盤へ挿入する時は、先端掘削刃が前記ストッパで回動阻止され、先端掘削刃が突出状態を維持する。そのため、先端掘削刃を鋼管に対して突出および収納させる駆動源や操作機構を別に設ける必要がない。そのため、節付き現場打ちコンクリート系杭築造用の掘削刃取付け鋼管を簡易な構成とすることができる。
【手続補正６】
【補正対象書類名】明細書
【補正対象項目名】００１８
【補正方法】変更
【補正の内容】
【００１８】
この発明の節付き現場打ちコンクリート系杭の築造方法は、鋼管の一端にこの鋼管の外周面よりも外周側に一部分が突出した刃体を有する先端掘削刃が、取外しまたは前記鋼管の外周面よりも内周側に収納が可能に取り付けられた掘削刃取付け鋼管を準備する過程と、前記掘削刃取付け鋼管を、前記先端掘削刃が下側となるように支持しかつ前記鋼管の外周面から前記一部分を突出させた状態で前記鋼管の中心軸回りに一定方向に回転させつつ押し下げることによって、前記先端掘削刃により下方に掘削しかつ前記鋼管の外周の土に螺旋状の溝を形成しながら地盤に挿入する過程と、前記鋼管内にモルタルまたは生コンクリートまたはセメントミルクを充填する過程と、前記鋼管を引き上げて前記鋼管から前記先端掘削刃を分離させ、または前記鋼管を逆回転させて前記先端掘削刃を前記鋼管の外周面よりも内周側に収納し、前記鋼管を地盤から引き抜くことによって、前記鋼管の抜き跡となる杭孔および前記螺旋状の溝に前記鋼管内のモルタルまたは生コンクリートまたはセメントミルクを流し込む過程とを含むため、現場の土の状態に影響されることなく品質の安定した地盤補強用のコンクリート系杭を築造することができ、かつ築造されたコンクリート系杭の杭周面抵抗力が大きい。
【手続補正７】
【補正対象書類名】明細書
【補正対象項目名】００１９
【補正方法】変更
【補正の内容】
【００１９】
この発明の第１の節付き現場打ちコンクリート系杭築造用の掘削刃取付け鋼管は、鋼管と、この鋼管の一端に取付部によって取り付けられて前記鋼管の外周面よりも外周側に一部分が突出した刃体を有する円板状の先端掘削刃とでなり、この先端掘削刃は、前記鋼管の地盤への挿入時に前記鋼管と共に回転することで地盤に螺旋状の溝を形成し、前記鋼管を地盤から引き抜くことで前記先端掘削刃に作用する地盤の抵抗によって前記取付部で前記鋼管から外れるため、鋼管と先端掘削刃とを分離させる機構を別に設ける必要がなく、簡易な構成とすることができる。
【手続補正８】
【補正対象書類名】明細書
【補正対象項目名】００２０
【補正方法】変更
【補正の内容】
【００２０】
この発明の他の節付き現場打ちコンクリート系杭築造用の掘削刃取付け鋼管は、鋼管と、この鋼管の一端に取り付けられて前記鋼管の外周面よりも外周側に一部分が突出した状態と全体が前記鋼管の外周面よりも内周側に収納された状態とに姿勢変更可能な突没刃を有する先端掘削刃とを有し、この先端掘削刃は、前記鋼管の周方向に回動自在であって前記鋼管に設けられたストッパにより、前記鋼管の外周面よりも外周側に一部分が突出する状態から一方向への回動が阻止されるものであり、前記鋼管と共に回転することで地盤に螺旋状の溝を形成するため、先端掘削刃を鋼管に対して突出および収納させる駆動源や操作機構を別に設ける必要がなく、簡易な構成とすることができる。
【手続補正９】
【補正対象書類名】明細書
【補正対象項目名】００２７
【補正方法】変更
【補正の内容】
【００２７】
前記掘削刃取付け鋼管１０は、図３に示すように、鋼管１１と、この鋼管１１の下端に取り付けられた先端掘削刃１２とでなる。先端掘削刃１２は、図４のように、鋼管１１の下端開口を蓋する円板状の蓋部１２ａの下面に、複数個（図示例では２個）の刃体１２ｂを固定して設けたものである。各刃体１２ｂは、所定の掘削回転方向（Ａ方向）に回転するとき下端側が先行するように傾斜角度が付けられている。また、各刃体１２ｂの外径端部分１２ｂａは、蓋部１２ａよりも外周側に突出している。よって、鋼管１１の下端に先端掘削刃１２を取り付けると、図３のように、各刃体１２ｂの外径端部分１２ｂａが鋼管１１の外周面よりも外周側に突出した状態となる。
【手続補正１０】
【補正対象書類名】明細書
【補正対象項目名】００３８
【補正方法】変更
【補正の内容】
【００３８】
この先端掘削刃３２は、具体的には、鋼管１１の下端開口を蓋する円板状の蓋部３２ａの下面に、正面形状が溝形の刃体である掘削刃本体３２ｂを設け、この掘削刃本体３２ｂの下面の両端に、他の刃体である一対の突没刃３２ｃをそれぞれ設けている。各突没刃３２ｃは、鋼管１１の軸心と平行な支軸３３によって、掘削刃本体３２ｂに対して鋼管１１の周方向に正逆両方向に回動自在に支持される。これら各突没刃３２ｃは、掘削刃本体３２ｂに設けられたストッパ３４により、鋼管１１の外周面よりも外周側に最も突出する姿勢で係止され、この姿勢から一方向への回動が阻止される。この回動が阻止される方向は、鋼管１１を正回転させるとき、つまり掘削刃取付け鋼管１０の地盤への挿入時に回転させるときに、先端掘削刃３２の各突没刃３２ｃが地盤の抵抗で回動しないように阻止される方向とする。
【手続補正１１】
【補正対象書類名】明細書
【補正対象項目名】００４０
【補正方法】変更
【補正の内容】
【００４０】
図９は、図７，図８の掘削刃取付け鋼管１０を用いる節付き現場打ちコンクリート系杭の築造方法を示す。この構築方法は、特に説明する事項の他は、図６と共に前述した構築方法と略同様である。
この方法では、図９（Ａ）のように、掘削刃取付け鋼管１０を地盤１５へ貫入させるときに、先端掘削刃３２は、突没刃３２ｃが図８のように突出状態であることが必要である。しかし、貫入開始前の突没刃３２ｃの姿勢に係わらず、突没刃３２ｃが地盤１５に接して掘削刃取付け鋼管１０が正方向に回転させられると、突没刃３２ｃは回転に対する地盤１５の反力で突出方向に回動し、図８のように最も突出した状態で、ストッパ３４で支持されて突出状態で維持される。そのため、突没刃３２ｃを突出させる作業や操作は特には不要である。
【手続補正１２】
【補正対象書類名】明細書
【補正対象項目名】００４１
【補正方法】変更
【補正の内容】
【００４１】
図９（Ｂ）のように掘削刃取付け鋼管１０の貫入が完了し、同図（C ）のようにモルタル充填を開始した後、同図（Ｄ）のように掘削刃取付け鋼管１０を引き上げるときに、掘削刃取付け鋼管１０を貫入時とは逆方向に回転させる。この逆回転により、先端掘削刃３２の突没刃３２ｃは、回転に対する地盤１５の反力により、図７のように突没刃３２ｃが鋼管１１の外周面よりも内周側に収納された状態となる。そのため、この実施形態においても、地盤１５に形成された螺旋状の溝１６を壊さずに、掘削刃取付け鋼管１０を地盤１５から引き抜くことができる。また、鋼管１１を正回転させて地盤１５へ挿入する時は、先端掘削刃３２が突出してストッパ３４で回動阻止され、先端掘削刃３３が突出状態を維持する。そのため、先端掘削刃３２を鋼管１１に対して突出および収納させる駆動源や操作機構を別に設ける必要がない。
【手続補正１３】
【補正対象書類名】図面
【補正対象項目名】図９
【補正方法】変更
【補正の内容】
【図９】
2014062446.tif 000001